(57)【要約】【課題】フィルムスキャナの使用終了時のフィルム取り忘れ防止、読み取りセンサ・光源の長寿命化、消費電力の低減を目的とする画像読取装置の提供。【解決手段】ホストコンピュータの電源が切断されたことを検出した場合に、フィルムの排出し、シャッタを閉じ、光源を消灯し、電源を切断する、のいずれかを選択または組み合わせて処理する。【選択図】      図３
2006304201.tif 000002
【特許請求の範囲】
【請求項１】
原稿の画像を読み取る画像読取装置において、
光源と、
前記光源からの光を原稿に照射して得られる透過光または反射光を撮像して原稿の画像を読み取る撮像手段と、
前記光源と前記撮像手段の間の光路上に挿入／退避可能に設けられ、前記光源から前記撮像手段への光の遮光／通過を切り替え可能な遮光手段と、
前記画像読取装置に接続された外部機器と、
前記外部機器の電源状態を検出する検出手段とを備え、
前記検出手段が前記外部機器の電源が切断されたことを検出した場合に、前記遮光手段を遮光状態に切り替えることを特徴とする画像読取装置。
【請求項２】
原稿の画像を読み取る画像読取装置において、
光源と、
前記光源からの光を原稿に照射して得られる透過光または反射光を撮像して原稿の画像を読み取る撮像手段と、
前記画像読取装置に接続された外部機器と、
前記外部機器の電源状態を検出する検出手段とを備え、
前記検出手段が前記外部機器の電源が切断されたことを検出した場合に、前記光源を消灯することを特徴とする画像読取装置。
【請求項３】
原稿の画像を読み取る画像読取装置において、
光源と、
前記光源からの光を原稿に照射して得られる透過光または反射光を撮像して原稿の画像を読み取る撮像手段と、
前記原稿を所定速度で給送する給送手段と、
前記原稿の有無を検知する原稿検知手段と、
前記画像読取装置に接続された外部機器と、
前記外部機器の電源状態を検出する検出手段とを備え、
前記検出手段が前記外部機器の電源が切断されたことを検出した場合に、前記原稿検知手段により前記原稿があると検知した場合は、前記原稿を前記給送手段により排出することを特徴とする画像読取装置。
【請求項４】
原稿の画像を読み取る画像読取装置において、
光源と、
前記光源からの光を原稿に照射して得られる透過光または反射光を撮像して原稿の画像を読み取る撮像手段と、
前記画像読取装置の電源状態を制御する電源制御手段と、
前記画像読取装置に接続された外部機器と、
前記外部機器の電源状態を検出する検出手段とを備え、
前記検出手段が前記外部機器の電源が切断されたことを検出した場合に、前記電源制御手段により前記画像読取装置の電源を切断することを特徴とする画像読取装置。
【発明の詳細な説明】
【技術分野】
【０００１】
本発明は、光源を用いて原稿に照射した透過光または反射光を撮像素子で撮像して原稿の画像を読み取る画像読取装置に関する。
【背景技術】
【０００２】
従来、フィルムなどの透過原稿の画像を読み取る画像読取装置は、パーソナルコンピュータなどの外部機器に接続され、読み取った画像を外部機器に転送して画像の編集や管理、さらにはプリンタに転送して印刷などの処理を行なうのに利用される。画像読取装置の構成としては、フィルムと撮像素子を相対移動させながら、フィルムに光源を照射して得られる透過光を撮像素子で撮像することにより画像を読み取る構成となっている。
【０００３】
このような画像読取装置では、電源を投入したままで未使用状態が長く続く場合、光源からの光が撮像素子に長時間照射され、撮像素子が焼き付きにより劣化するおそれがある。これを防ぐ方法として、光源と撮像素子の間にシャッタなどの遮光部材を設け、画像を読み取るときは光源からの光が原稿を介して撮像素子に届くように遮光部材を光路から退避させ、それ以外のときは遮光部材を光路をふさぐ位置にセットして撮像素子に光が照射されないように制御する方法がある。
【０００４】
また、光源を点灯し続けることにより光源自体の寿命が短くなる問題もある。これを防ぐ方法として、未使用状態が所定時間続いた場合は光源を消灯する方法がある。
【０００５】
また、フィルムを画像読取装置に挿入して画像を読み取ったあとは、フィルムが装置内に残された状態になるため、ユーザがフィルムを取り除くのを忘れる可能性がある。これを防ぐために、画像読取装置が未使用状態になった時点でフィルムを装置から排出するようにすることが望ましい。
【０００６】
さらに、画像読取装置を使用しないときは、なるべく装置の電源を切断して、消費電力の低減を図ることが望ましい。
【０００７】
従来の画像読取装置としては、装置の運搬のために光学系を固定位置で固定したら電源を切断するようにしたものがある（たとえば、特許文献１参照。）。
【特許文献１】特開２００２−３１４７３５号公報
【発明の開示】
【発明が解決しようとする課題】
【０００８】
しかしながら、上述した画像読取装置では、ユーザが画像読取装置を使用しないかどうかを画像読取装置が自動で行なう判断が必ずしも十分ではない。たとえば、接続されたパーソナルコンピュータやプリンタなどの外部機器の電源が切断された場合は、ユーザはもう画像読取装置を使用しないと判断することができるが、従来の画像読取装置ではこれら外部機器の状態を考慮したものはなく、装置の長寿命化や消費電力低減、フィルムの取り忘れ防止への配慮が不十分である。また、上述した特許文献１では、装置の運搬のため光学系を固定位置で固定したら電源を切断するもので、目的は光学系の位置変動防止である。このような状況の中で、ユーザにとってより使いやすく、長く使える画像読取装置の提供が求められている。
【０００９】
本発明は、以上のような局面に鑑みてなされたもので、それぞれ下記各項の各課題を解決するための各手段の提供を目的としている。すなわち、
１）その第１の目的は、画像読取装置の使用終了の検出精度を向上し、光源からの光が撮像素子に到達し続けることによる撮像素子の劣化を防止して、画像読取装置の長寿命化を実現することにある。
【００１０】
２）その第２の目的は、画像読取装置の使用終了の検出精度を向上し、光源を点灯し続けることによる光源の劣化を防止して、画像読取装置の長寿命化を実現することにある。
【００１１】
３）その第３の目的は、画像読取装置の使用終了の検出精度を向上し、原稿が装置内に残されてユーザが取り忘れることを防止して、使い勝手の良い画像読取装置を提供することにある。
【００１２】
４）その第４の目的は、画像読取装置の使用終了の検出精度を向上し、画像読取装置の電源が投入されたままになることを防止して、画像読取装置の消費電力低減や超寿命化を実現することにある。
【課題を解決するための手段】
【００１３】
このため、本発明は、上記の各目的に対してそれぞれ下記の対応項（１）から（４）に示す構成の画像読取装置の提供によりそれぞれ前記の各目的を達成しようとするものである。
【００１４】
（１）原稿の画像を読み取る画像読取装置において、光源と、前記光源からの光を原稿に照射して得られる透過光または反射光を撮像して原稿の画像を読み取る撮像手段と、前記光源と前記撮像手段の間の光路上に挿入／退避可能に設けられ、前記光源から前記撮像手段への光の遮光／通過を切り替え可能な遮光手段と、前記画像読取装置に接続された外部機器と、前記外部機器の電源状態を検出する検出手段とを備え、前記検出手段が前記外部機器の電源が切断されたことを検出した場合に、前記遮光手段を遮光状態に切り替えることを特徴とする画像読取装置。
【００１５】
（２）原稿の画像を読み取る画像読取装置において、光源と、前記光源からの光を原稿に照射して得られる透過光または反射光を撮像して原稿の画像を読み取る撮像手段と、前記画像読取装置に接続された外部機器と、前記外部機器の電源状態を検出する検出手段とを備え、前記検出手段が前記外部機器の電源が切断されたことを検出した場合に、前記光源を消灯することを特徴とする画像読取装置。
【００１６】
（３）原稿の画像を読み取る画像読取装置において、光源と、前記光源からの光を原稿に照射して得られる透過光または反射光を撮像して原稿の画像を読み取る撮像手段と、前記原稿を所定速度で給送する給送手段と、前記原稿の有無を検知する原稿検知手段と、前記画像読取装置に接続された外部機器と、前記外部機器の電源状態を検出する検出手段とを備え、前記検出手段が前記外部機器の電源が切断されたことを検出した場合に、前記原稿検知手段により前記原稿があると検知した場合は、前記原稿を前記給送手段により排出することを特徴とする画像読取装置。
【００１７】
（４）原稿の画像を読み取る画像読取装置において、光源と、前記光源からの光を原稿に照射して得られる透過光または反射光を撮像して原稿の画像を読み取る撮像手段と、前記画像読取装置の電源状態を制御する電源制御手段と、前記画像読取装置に接続された外部機器と、前記外部機器の電源状態を検出する検出手段とを備え、前記検出手段が前記外部機器の電源が切断されたことを検出した場合に、前記電源制御手段により前記画像読取装置の電源を切断することを特徴とする画像読取装置。
【発明の効果】
【００１８】
本発明によれば、画像読取装置に接続された機器の電源が切断されたことを検知した場合は画像読取装置の使用を終了したと判断し、シャッタの遮光状態への切り替え、ランプの消灯、フィルムの排出、電源の切断を行なうようにしたので、画像読取装置の長寿命化、消費電力の低減、フィルムの取り忘れ防止などが実現でき、使い勝手の良い、長く使用できる画像読取装置を提供することができるという効果がある。
【発明を実施するための最良の形態】
【００１９】
以下に、本発明の実施の形態について図面を参照して詳細に説明する。
【実施例】
【００２０】
（第１の実施例）
図１は、本発明実施例の画像読取装置の構成を示す斜視図である。同図において、１は画像読取装置であり、３５ｍｍ及びＡＰＳの各フィルムの画像を読み取ることができる。２は３５ｍｍ挿入口で、３５ｍｍフィルムを挿入する。３５ｍｍフィルムはそのまま挿入でき、数コマ程度の短いフィルムから４０コマ程度の長尺フィルムまで様々な長さのフィルムが挿入できる。３はＡＰＳ挿入口で、ＡＰＳカートリッジまたはＡＰＳフィルムを挿入する。４はイジェクトボタンで、挿入されたフィルムを排出するためのボタンである。１９は３５ｍｍユニットの上カバー、２０はＡＰＳユニットの上カバーで、同図では上カバーが閉じた状態を示している。フィルムの画像を読み取る場合は上カバーが閉じた状態で使用する。一方、何らかの要因により装置内にフィルムが詰まった場合は、上カバーを開いた状態にしてフィルムを取り除く。２２はパーソナルコンピュータ（以下ホストと記述）で、画像読取装置１とはケーブル２４で接続され、画像読取装置１から読み取った画像の管理、編集などの処理を行うために使用する。
【００２１】
図２は、３５ｍｍフィルムの給送及び画像の読み取りに関するブロック図である。同図において、５はローラ、６は給送モータ、７はフィルム室、８はフィルム先端センサ、９はフィルム挿入センサ、１０はフィルム、１１はインバータ、１２はランプ、１３は撮像光学系、１４はＣＣＤ、１５は信号処理回路、１６はマイコン、１７はメモリ、１８はスリット、１９は上カバー、２１は上カバー検知スイッチ、２３はＵＳＢ（Ｕｎｉｖｅｒｓａｌ  Ｓｅｒｉａｌ  Ｂｕｓ）処理回路、２４は接続ケーブル、２５は電源制御回路、２６はシャッタ、２７はシャッタ駆動モータである。なお、同図では上カバー１９が閉じていて、３５ｍｍフィルムが中に残されている場合を示している。また、接続ケーブル２４はＵＳＢケーブルであるものとする。
【００２２】
次に、図２のブロック図における動作について説明する。フィルム１０の給送制御、画像読み取りなどの全ての制御はマイコン１６が司る。給送制御に関しては、給送モータ６を駆動してローラ５を回転させることにより行なう。フィルム１０が挿入されたことをフィルム挿入センサ９で検出すると、給送モータ６を正転方向に駆動してローラ５を回転させる。ローラ５にフィルム１０が挟まれるとさらに引き込まれて給送され、フィルム室７に渦を巻くように収められていく。フィルム１０がローラ５に噛んだ状態では、フィルムの走行速度を一定に保つため、ローラ５の回転速度が一定になるように給送モータ６を制御する。引き込まれたフィルムを排出する場合は、給送モータ６を逆転方向に駆動してローラ５を回転させ、フィルムの先端部分だけが画像読取装置の内部に残るようになるまでフィルムを排出する。排出時の動作の詳細については後述する。
【００２３】
画像読み取りの制御に関しては、ランプ１２によりフィルム１０に照射された透過光を撮像光学系１３を介してＣＣＤ１４で撮像し、信号処理回路１５で信号処理を行なったのちメモリ１７に蓄えられる。メモリ１７に蓄えられた画像データは、ホスト２２や不図示のプリンタなどに転送されて利用される。ランプ１２の光量は、インバータ１１により最適な光量に調節される。
【００２４】
その他の制御としては、ランプ１２からＣＣＤ１４へ至る光路上には、遮光／通過を切り替え可能なシャッタ２６が設けられ、シャッタ駆動モータ２７を駆動することにより遮光／通過を切り替える構成となっている。また、電源制御回路２５はシステム全体に電源を供給するとともに、マイコン１６からの指示により電源の投入／切断を制御することが可能となっている。
【００２５】
図３は、本発明実施例の動作を示すフローチャートである。図３のフローチャートは、図２のメモリ１７に内蔵され、マイコン１６で処理されるプログラムフローを示すプログラム図であり、マイコン１６は該プログラムフローに従って制御動作を実行する。
【００２６】
同図のフローでは、ホスト２２の電源が切断されたときにシャッタ２６を閉じる処理を示している。
【００２７】
以下に、フローの各ステップに沿って説明する。
【００２８】
ステップ１０１（図ではＳ１０１と記す、以下同様）：ホスト２２の電源が切断されたかどうかを判別する。ホスト２２の電源が切断されたかどうかは、ホスト２２からＵＳＢケーブル２４を通じてＵＳＢ処理回路２３に入力される信号の状態を識別することにより判別が可能である。
【００２９】
ステップ１０２：シャッタ駆動モータ２７の逆転駆動を開始することにより、シャッタ２６の通過状態（図２のＢ）から遮光状態（図２のＡ）への切り替え動作を開始する。
【００３０】
ステップ１０３：一定時間待ち、シャッタ２６が遮光状態になるまで待つ。
【００３１】
ステップ１０４：シャッタ駆動モータ２７の駆動を停止し、処理を終了する。
【００３２】
上記の動作フローでは、ステップ１０１でホスト２２の電源が切断されたことを検知した後に、ランプ１２からの光がシャッタ２６により遮られてＣＣＤ１４に到達しないように、ステップ１０２から１０４でシャッタ２６を通過状態から遮光状態に切り替える動作を行なっている。
【００３３】
このように、ホスト２２の電源が切断された場合にはユーザが画像読取装置の使用を終了したと判断し、シャッタ２６を遮光状態にすることにより、ＣＣＤ１４の劣化を防止することができる。
【００３４】
（第２の実施例）
図４は、本発明の第２の実施例の動作を示すフローチャートである。図４のフローチャートは、図２のメモリ１７に内蔵され、マイコン１６で処理されるプログラムフローを示すプログラム図であり、マイコン１６は該プログラムフローに従って制御動作を実行する。
【００３５】
同図のフローでは、ホスト２２の電源が切断されたときにランプ１２を消灯する処理を示している。
【００３６】
以下に、フローの各ステップに沿って説明する。
【００３７】
ステップ２０１：ホスト２２の電源が切断されたかどうかを判別する。判別方法は第１の実施例と同様である。
【００３８】
ステップ２０２：インバータ１１にランプ１２を消灯するための電圧値を設定し、ランプ１２を消灯して、処理を終了する。
【００３９】
上記の動作フローでは、ステップ２０１でホスト２２の電源が切断されたことを検知した後に、ステップ２０２でランプ１２を消灯している。
【００４０】
このように、ホスト２２の電源が切断された場合にはユーザが画像読取装置の使用を終了したと判断し、ランプ１２を点灯しておく必要はないので消灯することにより、ランプ１２の劣化を防止し、寿命を長くすることができる。
【００４１】
（第３の実施例）
図５は、本発明の第３の実施例の動作を示すフローチャートである。図５のフローチャートは、図２のメモリ１７に内蔵され、マイコン１６で処理されるプログラムフローを示すプログラム図であり、マイコン１６は該プログラムフローに従って制御動作を実行する。
【００４２】
同図のフローでは、ホスト２２の電源が切断されたときにフィルム１０を排出する処理を示している。
【００４３】
以下に、フローの各ステップに沿って説明する。
【００４４】
ステップ３０１：ホスト２２の電源が切断されたかどうかを判別する。判別方法は第１の実施例と同様である。
【００４５】
ステップ３０２：フィルムが装置内に残っているかどうかを判別する。フィルム先端センサ８でフィルムがあることを検知した場合はフィルムが残っていると判断し、ステップ３０３に進み、そうでない場合はフィルムが残っていないと判断して処理を終了する。図２ではフィルム１０が装置内に残っている場合を示しており、ステップ３０３に進むことになる。
【００４６】
ステップ３０３：給送モータ６を逆転方向に駆動開始する。これにより、フィルム１０が排出方向に給送を開始することになる。
【００４７】
ステップ３０４：フィルム１０の大部分が装置の外に排出されるまで待つ。これは、フィルム先端センサ８でフィルム１０を検知しなくなるまで待つことにより行なう。
【００４８】
ステップ３０５：フィルム１０の大部分が装置の外に排出されたので、完全に排出されるまでさらにフィルム１０を給送するために一定時間待つ。
【００４９】
ステップ３０６：フィルム１０が完全に装置の外に排出されたので、給送モータ６を停止し、処理を終了する。図６にフィルム１０が排出された状態を示す。
【００５０】
上記の動作フローでは、ステップ３０１でホスト２２の電源が切断されたことを検知した後に、ステップ３０２で装置内にフィルムが残されているかどうかを判別し、フィルムが残されている場合はステップ３０３から３０６で排出動作を行なっている。
【００５１】
このように、ホスト２２の電源が切断された場合にはユーザが画像読取装置の使用を終了したと判断し、装置内にフィルムが残されている場合は排出することにより、ユーザがフィルムを取り忘れることを防止できる。
【００５２】
（第４の実施例）
図７は、本発明の第４の実施例の動作を示すフローチャートである。図７のフローチャートは、図２のメモリ１７に内蔵され、マイコン１６で処理されるプログラムフローを示すプログラム図であり、マイコン１６は該プログラムフローに従って制御動作を実行する。
【００５３】
同図のフローでは、ホスト２２の電源が切断されたときに画像読取装置１の電源を切断する処理を示している。
【００５４】
以下に、フローの各ステップに沿って説明する。
【００５５】
ステップ４０１：ホスト２２の電源が切断されたかどうかを判別する。判別方法は第１の実施例と同様である。
【００５６】
ステップ４０２：電源制御回路２５に電源の切断を指示することにより、画像読取装置１の電源を切断する。
【００５７】
上記の動作フローでは、ステップ４０１でホスト２２の電源が切断されたことを検知した後に、ステップ４０２で画像読取装置の電源を切断する動作を行なっている。
【００５８】
このように、ホスト２２の電源が切断された場合にはユーザが画像読取装置の使用を終了したと判断し、装置の電源を切断することにより、消費電力を節減することができる。同時に、ランプ１２も消灯されるため、ランプ１２やＣＣＤ１４の劣化も防止することができ、画像読取装置１全体の寿命を長くすることができる。
【００５９】
なお、上記の実施例では、３５ｍｍフィルムの動作に関する説明を行なったが、ＡＰＳフィルムに関しても同様に適用できることは言うまでもない。
【００６０】
また、上記の実施例では、画像読取装置１とホスト２２の接続形態としてＵＳＢを用いているが、その他の形態であっても同様に適用できることは言うまでもない。
【００６１】
また、上記の実施例では、画像読取装置１とホスト２２を接続しているが、画像読取装置１とプリンタなど他の機器と接続した場合に関しても同様に適用できることは言うまでもない。
【図面の簡単な説明】
【００６２】
【図１】第１〜４実施例の画像読取装置の構成説明斜視図
【図２】第１〜４実施例のフィルムの給送及び画像の読み取りに関するブロック図
【図３】第１実施例の動作を示すフローチャート
【図４】第２実施例の動作を示すフローチャート
【図５】第３実施例の動作を示すフローチャート
【図６】第３実施例のフィルムの給送及び画像の読み取りに関するブロック図
【図７】第４実施例の動作を示すフローチャート
【符号の説明】
【００６３】
１  画像読取装置
２  ３５ｍｍ挿入口
３  ＡＰＳ挿入口
４  イジェクトボタン
５  ローラ
６  給送モータ
７  フィルム室
８  フィルム先端センサ
９  フィルム挿入センサ
１０  フィルム
１１  インバータ
１２  ランプ
１３  撮像光学系
１４  ＣＣＤ
１５  信号処理回路
１６  マイコン
１７  メモリ
１８  スリット
１９  ３５ｍｍ上カバー
２０  ＡＰＳ上カバー
２１  上カバー検知スイッチ
２２  パーソナルコンピュータ
２３  ＵＳＢ処理回路
２４  接続ケーブル
２５  電源制御回路
２６  シャッタ
２７  シャッタ駆動モータ
【図１】
2006304201.tif 000003
【図２】
2006304201.tif 000004
【図３】
2006304201.tif 000005
【図４】
2006304201.tif 000006
【図５】
2006304201.tif 000007
【図６】
2006304201.tif 000008
【図７】
2006304201.tif 000009